(57)【要約】【課題】スピーカユニットの数や配置、キャビネットの容積や形状等を後から容易に変更できるスピーカ装置を提供する。【解決手段】少なくとも一方の端面に音響放出開口２１ａを有する筒状の本体２０と、本体２０の軸線ＣＬに交差する方向に設けられた複数の開口２２を備え、複数の開口２２のそれぞれに管状部材３０が脱着可能であり、任意の数の管状部材３０を装着して、装着された管状部材３０のうちの少なくとも一つにスピーカユニット３２が取り付けられている構成とする。【選択図】        図２
2004282357.tif 000002
【特許請求の範囲】
【請求項１】
少なくとも一方の端面に音響放出開口を有する筒状の本体と、前記本体の軸線に交差する方向に設けられた複数の開口と、を有し、
前記複数の開口は管状部材が脱着可能であり、前記複数の開口のうちの少なくとも一つに前記管状部材が装着され、
前記管状部材のうちの少なくとも一つにスピーカユニットが取り付けられていることを特徴とするスピーカ装置。
【請求項２】
前記各管状部材が、前記本体の軸線に対して、略同じ角度で取り付けられていることを特徴とする請求項１に記載のスピーカ装置。
【請求項３】
前記各管状部材のうちの少なくとも二つの軸線が、前記本体の軸線を回転中心とする仮想的な円錐面に沿っていることを特徴とする請求項２に記載のスピーカ装置。
【請求項４】
音響放出用の部材として、筒状のポートが、前記音響放出開口に取り付けられていることを特徴とする請求項１〜請求項３のいずれかに記載のスピーカ装置。
【請求項５】
音響放出用の部材として、先端が拡がっているホーンが、前記音響放出開口に取り付けられていることを特徴とする請求項１〜請求項３のいずれかに記載のスピーカ装置。
【請求項６】
前記各管状部材のうちの少なくとも一つが、前記本体の内部容積を調整するための容積調整部材であることを特徴とする請求項１〜請求項５のいずれかに記載のスピーカ装置。
【発明の詳細な説明】
【０００１】
【発明の属する技術分野】
この発明は、スピーカ装置に関するものである。
【０００２】
【従来の技術】
図１には、従来のスピーカ装置が示されている（例えば、特許文献１参照）。このスピーカ装置１００では、夫々両端が開口した主キャビネット部１０１、副キャビネット部１０２およびポート部１０３を順次連接して、キャビネット１０４が筒状に形成されている。主キャビネット部１０１の両開口部には、夫々スピーカユニット１０５を主キャビネット部１０１の外側へ向けて取り付けるためのスピーカ取り付け部１０６、１０７が設けられている。
【０００３】
以上の構成から、主キャビネット部１０１のスピーカ取り付け部１０６にスピーカユニット１０５を外向きに取り付けることにより、主キャビネット部１０１および副キャビネット部１０２の容積に対応したバスレフ方式のスピーカ装置１００が構成されることになる。
【０００４】
【特許文献１】
特開平５−２３６５８２号公報（第３頁、第１図）
【０００５】
【発明が解決しようとする課題】
上述のスピーカ装置１００は、キャビネット１０４が決定されるとスピーカユニット１０５の数や配置がおのずと決定され、後から配置等は変更できない。
このように、従来技術においては、スピーカユニットの数や配置を変更するには、キャビネットを含めてスピーカ装置全体を再設計する必要がある。
このため、スピーカ装置をＴＶ等の機器に組み込む場合には、組み込むスペースの容積や形状が限られているため、スピーカユニットの数や配置、キャビネットの容積や形状等を後から容易に変更することは困難である。
また、ユーザーなどが所望の音質に調整するために、上記変更を後から行うことも困難である。
【０００６】
本発明が解決しようとする課題としては、上述した従来技術において生じているスピーカユニットの数や配置、キャビネットの容積や形状等を後から容易に変更できないと言う問題を解消することが一例として挙げられる。
【０００７】
【課題を解決するための手段】
請求項１に記載した発明は、少なくとも一方の端面に音響放出開口を有する筒状の本体と、前記本体の軸線に交差する方向に設けられた複数の開口と、を有し、前記複数の開口は管状部材が脱着可能であり、前記複数の開口のうちの少なくとも一つに前記管状部材が装着され、前記管状部材のうちの少なくとも一つにスピーカユニットが取り付けられていることを特徴とする。
【０００８】
【発明の実施の形態】
以下、本発明に係る実施の形態を図面に基づいて詳細に説明する。なお、各実施の形態において同一又は相当する構成には同一の符号を付してある。
【０００９】
（第１の実施の形態）
以下、本発明に係るスピーカ装置の第１の実施の形態を図面に基づいて詳細に説明する。図２は第１の実施の形態に係るスピーカ装置を示す斜視図、図３（Ａ）は左端面図、（Ｂ）は平面図、（Ｃ）は右端面図である。
【００１０】
図２および図３に示すように、本発明の第１の実施の形態に係るスピーカ装置１０Ａは、そのキャビネットの一部である筒状の本体２０を有しており、この本体２０の軸方向の一方の端面には音響放出開口２１ａが設けられている。本体２０の側面には、本体２０の軸線ＣＬに交差する方向（例えば直交方向）に複数個（例えば４個）の開口２２が設けられている。各開口２２には、取付用パイプ２３が突出して設けられており、内部には、コネクタ２４が設けられている。
【００１１】
本体２０の側面に設けられている開口２２には、管状部材３０が脱着可能に取り付けられており、本体２０の軸方向の他方（図２（Ｂ）中右側端）の端面の開口２１ｂには、延長用パイプ３１を介して管状部材３０が脱着可能に取り付けられている。
【００１２】
管状部材３０は、略円筒形状をしており、その先端部にはスピーカユニット３２が脱着可能に取り付けられている。この管状部材３０の基端部には、取付用パイプ２３に接続するためのスリーブ部３３が設けられている。
さらに、管状部材３０は、スリーブ部３３の内側にコネクタ３４が設けられており、スリーブ部３３を取付用パイプ２３に取り付けると、コネクタ２４とコネクタ３４とが接続され、管状部材３０が固定される。
【００１３】
なお、管状部材３０は、スピーカユニットの取付部の径が基端部の径と異なる形状であってもよい。その一例を図４に示す。図４は、スピーカユニットの取付部の径が基端部の径よりも太い管状部材の一例を示す断面図である。
図４に示すように、スピーカユニットの取付部の径が基端部の径よりも太い場合は、口径が大きくより低音の再生が優れたスピーカユニットを取り付け可能である。
【００１４】
一方、図２に示すように、延長用パイプ３１はＴ字状をしており、本体２０の軸方向の他方の端面の開口２１ｂに嵌合する本体延長部３１ａを有し、この本体延長部３１ａの先端の左右両側には開口３１ｂが設けられている。この開口３１ｂは、開口２２と同様に管状部材３０を脱着可能とする構造を有するものであり、開口３１ｂの周囲には取付用パイプ２３が突出して設けられている。
【００１５】
従って、このスピーカ装置１０Ａでは、合計６本の管状部材３０が取り付けられている。本体延長部３１ａにもコネクタ３１ｃが設けられており、取付用パイプ２３に管状部材３０を取り付けると、管状部材３０のコネクタ３４と接続するようになっている。
【００１６】
なお、本体２０の端部にもコネクタ２５が設けられており、延長用パイプ３１を本体２０に取り付けると、コネクタ３１ｃと接続されるようになっている。
【００１７】
また、音響放出開口２１ａには、音響放出用の部材として筒状のポート４１が連結部材４０を介して、脱着可能に取り付けられている。
従って、各管状部材３０のスピーカユニット３２から前方に音波が発せられると共に、スピーカユニット３２の裏面から発せられる音波が音響放出開口２１ａを通って、ポート４１の開口部より放射される。
【００１８】
なお、任意の箇所からのリード線の引き出しや端子の設置等により、各スピーカユニット３２と外部のアンプ等への電気的接続ができる（例えば、図３に示すように、開口２１ｂ側の本体２０の側面に孔を空けてリード線５０を引き出す等）。
【００１９】
以上述べたように、本実施の形態のスピーカ装置１０Ａは、その本体２０に設けられている複数の開口２２に対して、管状部材３０が（例えば４本）脱着可能であり、本体延長部３１ａにもさらに管状部材３０が（例えば２本）脱着可能である。
よって、図２および図３に示した６本の管状部材３０を脱着することにより、本数を任意の本数（１〜６本）とすることが容易にできる。従って、管状部材３０にはスピーカユニット３２が取り付けられているので、スピーカユニット数や音響特性の異なるスピーカユニットへの変更などが管状部材３０の脱着のみによって容易にできる。
【００２０】
また、図４に示すような、径の異なる管状部材３０を装着することにより、口径の異なるスピーカユニット３２への変更が容易にできる。
また、ポート４１の脱着が容易であるので、異なる種類（径、長さ、材質等）のポート４１に変更することが容易にできる。
【００２１】
上述のように、スピーカユニットの数、口径、種類等の変更および異なる種類（径、長さ、材質等）のポートへの変更が容易にできるので、スピーカ装置１０Ａの音響特性等を容易に調整することができる。
【００２２】
（第２の実施の形態）
次に、本発明に係るスピーカ装置の第２の実施の形態を図面に基づいて詳細に説明する。図５は第２の実施の形態に係るスピーカ装置を示す斜視図、図６（Ａ）は左端面図、（Ｂ）は平面図、（Ｃ）は右端面図である。
【００２３】
前述のスピーカ装置１０Ａは、開口２１ｂに、延長用パイプ３１を介して管状部材３０が脱着可能に取り付けられているが、第２の実施の形態に係るスピーカ装置１０Ｂは、開口２１ｂに直接、管状部材３０が脱着可能に取り付けられている。従って、図５および図６に示すように、スピーカ装置１０Ｂは５本の管状部材３０が取り付けられている。
【００２４】
なお、取付用パイプ２３、コネクタ２４、スリーブ部３３、コネクタ３４、連結部材４０等の構造は、第１の実施の形態と同様であり、その説明を省略する。
【００２５】
本実施の形態のスピーカ装置１０Ｂは、その本体２０に設けられている複数の開口２２に対して、管状部材３０が（例えば４本）脱着可能であり、開口２１ｂに管状部材３０が１本脱着可能である。
よって、図５および図６に示した５本の管状部材３０を脱着することにより、本数を任意の本数（１〜５本）とすることが容易にできる。従って、管状部材３０にはスピーカユニット３２が取り付けられているので、スピーカユニット数や音響特性の異なるスピーカユニットへの変更などが管状部材３０の脱着のみによって容易にできる。
【００２６】
また、図４に示すような、径の異なる管状部材３０を装着することにより、口径の異なるスピーカユニット３２への変更が容易にできる。
また、ポート４１の脱着が容易であるので、異なる種類（径、長さ、材質等）のポート４１に変更することが容易にできる。
【００２７】
上述のように、スピーカユニットの数、口径、種類等の変更および異なる種類（径、長さ、材質等）のポート４１への変更が容易にできるので、スピーカ装置１０Ｂの音響特性等を容易に調整することができる。
【００２８】
（第３の実施の形態）
次に、本発明に係るスピーカ装置の第３実施の形態を図面に基づいて詳細に説明する。図７は第３実施の形態に係るスピーカ装置を示す斜視図、図８（ａ）は左端面図、（ｂ）は平面図、（ｃ）は右端面図である。
【００２９】
図７および図８に示すように、本発明の第３実施の形態に係るスピーカ装置１０Ｃは、前述の第１の実施の形態と同様に、キャビネットの一部である筒状の本体２０を有しており、この本体２０の軸方向の一方の端面には音響放出開口２１ａが設けられている。本体２０の側面には、本体２０の軸線ＣＬに交差する方向（例えば直交方向）に複数個（例えば４個）の開口２２が設けられている。各開口２２には、管状部材３０が脱着可能に取り付けられている。また、本体２０の軸方向の他方（図８（Ｂ）中右側端）の端面の開口２１ｂには、密閉蓋４２が脱着可能に取り付けられている。
【００３０】
なお、取付用パイプ２３、コネクタ２４、スリーブ部３３、コネクタ３４等の構造は、第１の実施の形態と同様であり、その説明を省略する。
【００３１】
また、一方（図８（Ｂ）中左側端）の端面の音響放出開口２１ａには、Ｔ字状をした連結パイプ４３が脱着可能に取り付けられている。この連結パイプ４３は、本体２０の一方（図８（Ｂ）中左側端）の端部に嵌合可能な連結部４３ａを有しており、反対側にも連結部４３ｂを有している。また、途中の側面には、開口４４および取付用パイプ４５を有している。
【００３２】
連結パイプ４３の開口４４に設けられている取付用パイプ４５には、本体２０の内部容積を調整するための容積調整部材４６が、軸線ＣＬに直交する方向に脱着可能に取り付けられている。この容積調整部材４６は筒部材から構成されて内部空間４６ａを有しており、内部空間４６ａの先端は密閉蓋４７により密閉されている。
【００３３】
また、連結パイプ４３の連結部４３ｂには、音響放出用の部材として、先端が拡がっているホーン４８が脱着可能に取り付けられている。
従って、このスピーカ装置１０Ｃでは、４本の管状部材３０、容積調整部材４６、ホーン４８が取り付けられる。
【００３４】
以上述べたように、本実施の形態のスピーカ装置１０Ｃは、その本体２０に設けられている複数の開口２２に対して、管状部材３０が（例えば４本）脱着可能である。
【００３５】
よって、図７および図８に示した４本の管状部材３０を脱着することにより、本数を任意の本数（１〜４本）とすることが容易にできる。従って、管状部材３０にはスピーカユニット３２が取り付けられているので、スピーカユニット数や音響特性の異なるスピーカユニットへの変更などが管状部材３０の脱着のみによって容易にできる。
【００３６】
また、図４に示すような、径の異なる管状部材３０を装着することにより、口径の異なるスピーカユニット３２への変更が容易にできる。
また、容積調整部材４６を装着した場合、本体２０の内部容積が増加することにより、特に低音域での周波数特性など、スピーカ装置１０Ｃの音響特性等を変更することができる。さらに、内部空間４６ａの容積が異なる容積調整部材４６に変更することも容易にできる。
【００３７】
また、スピーカユニット３２の裏面から放出された音波はホーン４８を介して放出されるので能率の良いスピーカ装置が得られる。さらに、ホーン４８の口径や形状等を変更することにより、能率や指向性などを調整して、音響特性を調整することができる。
【００３８】
（第４の実施の形態）
次に、本発明に係るスピーカ装置の第４の実施の形態を図面に基づいて詳細に説明する。図９は第４の実施の形態をに係るスピーカ装置を示す斜視図、図１０（Ａ）は左端面図、（Ｂ）は平面図、（Ｃ）は右端面図、（Ｄ）は側面図である。
【００３９】
図９および図１０に示すように、本発明の第４の実施の形態に係るスピーカ装置１０Ｄは、キャビネットの一部である筒状の本体２０ｄを有しており、この本体２０の軸方向の一方の端面には音響放出開口２１ａが設けられている。また、本体２０ｄの側面には複数（ここでは例えば４個）の楕円形状をした開口２２ｄが設けられている。各開口２２ｄには取付用パイプ２３ｄが設けられており、この取付用パイプ２３ｄを介して管状部材３０が本体２０に脱着可能に取り付けられている。
【００４０】
取付用パイプ２３ｄの軸線ＣＬ１は、本体２０ｄの軸線ＣＬに対して鋭角θで交差しており、管状部材３０のうちの少なくとも二つの軸線ＣＬ１が、本体２０ｄの軸線ＣＬを回転中心とする仮想的な円錐面に沿うように設けられている。
【００４１】
なお、取付用パイプ２３ｄにはコネクタ２４が設けられており、管状部材３０を取り付けると、管状部材３０のコネクタ３４と接続されるようになっている。
【００４２】
本体２０ｄの軸方向の他方（図１０（Ｂ）中右側端）の端面の開口２１ｂには、密閉蓋４９が脱着可能に取り付けられている。
また、音響放出開口２１ａには、先端が拡がっているホーン４８が脱着可能に取り付けられている。
従って、このスピーカ装置１０Ｄでは、略同じ方向を向いた合計４本の管状部材３０とホーン４８とが取り付けられている。
【００４３】
以上述べたように、本実施の形態のスピーカ装置１０Ｄは、本体２０ｄに設けられている複数の開口２２ｄに対して、管状部材３０が（例えば４本）脱着可能である。
よって、図９および図１０に示した４本の管状部材３０を脱着することにより、本数を任意の本数（例えば１〜４本）とすることが容易にできる。
従って、管状部材３０にはスピーカユニット３２が取り付けられているので、スピーカユニット数や音響特性の異なるスピーカユニットへの変更などが管状部材３０の脱着のみによって容易にできる。
また、径の異なる管状部材３０を装着することにより、口径の異なるスピーカユニット３２への変更が容易にできる。
【００４４】
また、各管状部材３０の軸線ＣＬ１が本体２０ｄの軸線ＣＬに対して前方（図１０（Ｂ）において右方）に鋭角で交差しているので、前方への指向性がよい。
【００４５】
また、スピーカユニット３２の裏面から放出された音波はホーン４８を介して放出されるので能率の良いスピーカ装置が得られる。さらに、ホーン４８の口径や形状等を変更することにより、能率や指向性などを調整して、音響特性を調整することができる。
【００４６】
なお、本発明のスピーカ装置は、前述した各実施の形態に限定されるものでなく、適宜な変形、改良等が可能である。
例えば、前述した各実施の形態では、全ての管状部材３０の先端にスピーカユニット３２が取り付けられているが、いずれかの管状部材３０の少なくとも１つにスピーカユニット３２が取り付けられていればよく、スピーカユニット３２が取り付けられていない管状部材３０を用いてもよい（その先端は密閉することが好ましい）。
【００４７】
また、管状部材３０の長さ、材質、形状（例えば図４参照）が異なるものに変更することや、異なる管状部材３０を混在して使用することもでき、さらに、それらの管状部材３０に取り付けられるスピーカユニット３２も様々な口径、特性を持ったものを使用することもできる。
【００４８】
また、前述した各実施の形態では、本体２０，２０ｄの側面に設けた開口２２、２２ｄの数は４個であったが、数および配置もこれに限るものではない。
【００４９】
また、前述した各実施の形態では、スピーカユニット３２は、本体２０，２０ｄの内側へ向けて取り付けてもよい（所謂ケルトン方式）。
【００５０】
また、前述の各実施の形態では、本体２０および管状部材３０は断面形状が円形状のものを示したが、他の断面形状の部材でもよく、例えば長円形状や四角形状（正方形状、長方形状）などでもよい。さらに、異なる断面形状の部材を組み合わせて用いてもよい。
【００５１】
以上詳述したように、本発明に係る各実施の形態のスピーカ装置１０（１０Ａ、１０Ｂ、１０Ｃ、１０Ｄ）は、少なくとも一方の端面に音響放出開口２１ａを有する筒状の本体２０と、本体２０の軸線ＣＬに交差する方向に設けられた複数の開口２２と、を有し、複数の開口２２は、管状部材３０が脱着可能であり、各管状部材３０のうちの少なくとも一つにスピーカユニット３２が取り付けられているので、スピーカユニット３２の個数の変更、異なる種類への変更等を再設計を行うことなく容易に行うことができる。
【００５２】
このため、スピーカ装置１０をＴＶ等の機器に組み込む場合には、機器内部の空きスペースの容積や形状に合わせて、各部材（管状部材３０、ポート４１、容積調整部材４６、ホーン４８等）を適宜脱着して組み込むことが可能である。このため、新たにスピーカ装置を設計する必要が無く、その分コストが低減できる。
【００５３】
また、ユーザーなどが所望の音質を得るために、スピーカ装置１０の各構成部材（管状部材３０、ポート４１、容積調整部材４６、ホーン４８等）を適宜脱着して調整を行うことも容易である。
【図面の簡単な説明】
【図１】従来のスピーカ装置を示す断面図である。
【図２】本発明に係るスピーカ装置の第１の実施の形態を示す斜視図である。
【図３】（Ａ）は本発明に係るスピーカ装置の第１の実施の形態を示す左端面図、（Ｂ）は平面図、（Ｃ）は右端面図である。
【図４】スピーカユニット取り付け部の径が基端部の径よりも太い管状部材の一例を示す断面図である。
【図５】本発明に係るスピーカ装置の第２の実施の形態を示す斜視図である。
【図６】（Ａ）は本発明に係るスピーカ装置の第２の実施の形態を示す左端面図、（Ｂ）は平面図、（Ｃ）は右端面図である。
【図７】本発明に係るスピーカ装置の第３の実施の形態を示す斜視図である。
【図８】（Ａ）は本発明に係るスピーカ装置の第３の実施の形態を示す左端面図、（Ｂ）は平面図、（Ｃ）は右端面図である。
【図９】本発明に係るスピーカ装置の第４の実施の形態を示す斜視図である。
【図１０】（Ａ）は本発明に係るスピーカ装置の第４の実施の形態を示す左端面図、（Ｂ）は平面図、（Ｃ）は右端面図、（Ｄ）は側面図である。
【符号の説明】
１０、１０Ａ、１０Ｂ、１０Ｃ、１０Ｄ  スピーカ装置
２０  本体
２１ａ  音響放出開口
２１ｂ  開口（右端面）
２２  開口
３０  管状部材
３２  スピーカユニット
４１  ポート
４６  容積調整部材
４８  ホーン
ＣＬ  軸線（本体）
ＣＬ１  軸線（管状部材）
【図１】
2004282357.tif 000003
【図２】
2004282357.tif 000004
【図３】
2004282357.tif 000005
【図４】
2004282357.tif 000006
【図５】
2004282357.tif 000007
【図６】
2004282357.tif 000008
【図７】
2004282357.tif 000009
【図８】
2004282357.tif 000010
【図９】
2004282357.tif 000011
【図１０】
2004282357.tif 000012